(57)【要約】【課題】大判広告にも適用できる簡便な立体像表示装置を提供すること、および、観測者に生理的負担をかける視差や眼鏡を使用することなく、多くの観測者が鑑賞できる実際の立体像に近いカラー画質を再生することができる立体像表示装置を提供すること。【解決手段】光源に対して観測者側に光線軌跡制御部および光線情報記録部をこの順に配置した立体像表示装置において、該光線軌跡制御部または光線情報記録部がインクジェット法により形成された色素パターンを有することを特徴とする立体像表示装置。【選択図】　　　　図９
2004085990.tif 000002
【特許請求の範囲】
【請求項１】
光源に対して観測者側に光線軌跡制御部および光線情報記録部をこの順に配置した立体像表示装置において、該光線軌跡制御部または光線情報記録部がインクジェット法により形成された色素パターンを有することを特徴とする立体像表示装置。
【請求項２】
光源に対して観測者側に光線軌跡制御部および光線情報記録部をこの順に配置した立体像表示装置において、該光線軌跡制御部または光線情報記録部が昇華転写法により形成された色素パターンを有することを特徴とする立体像表示装置。
【請求項３】
光源に対して観測者側に光線軌跡制御部および光線情報記録部をこの順に配置した立体像表示装置において、該光線情報記録部が輝度情報および色情報とに分離して演算した画像情報に基づく色素パターンを有することを特徴とする立体像表示装置。
【請求項４】
前記輝度情報および色情報とが異なる空間分解能を有することを特徴とする請求項３に記載の立体像表示装置。
【請求項５】
前記輝度情報および色情報とが異なる濃度分解能を有することを特徴とする請求項３に記載の立体像表示装置。
【請求項６】
光源に対して観測者側に光線軌跡制御部および光線情報記録部をこの順に配置した立体像表示装置において、該光線軌跡制御部および該光線情報記録部とが支持体を挟んで互いに反対側に設けられた同一部材で構成されたことを特徴とする立体像表示装置。
【請求項７】
光源に対して観測者側に光線軌跡制御部および光線情報記録部をこの順に配置した立体像表示装置において、該光線軌跡制御部および該光線情報記録部との間に、粒径が０．０１μｍ以上０．２０μｍ以下のＴｉ、Ｓｉ、Ｚｎから選ばれる酸化物または水酸化物を含有する構成層を設けたことを特徴とする立体像表示装置。
【請求項８】
光源に対して観測者側に光線軌跡制御部および光線情報記録部をこの順に配置した立体像表示装置において、該光線情報記録部の観測者側に反射防止層を設けたことを特徴とする立体像表示装置。
【請求項９】
光源に対して観測者側に光線軌跡制御部および光線情報記録部をこの順に配置した立体像表示装置において、該光線軌跡制御部の光源側、または光線情報記録部の観測者側にマット剤を含有する構成層を設けたことを特徴とする立体像表示装置。
【請求項１０】
光源に対して観測者側に光線軌跡制御部および光線情報記録部をこの順に配置した立体像表示装置において、該光線軌跡制御部または該光線情報記録部が可撓性を有する部材から形成されていることを特徴とする立体像表示装置。
【請求項１１】
光源に対して観測者側に光線軌跡制御部および光線情報記録部をこの順に配置した立体像表示装置において、表示画像に応じて該光線軌跡制御部に異なる開口面積を有する複数のピンホールまたは複数のピンホールパターンを設けたことを特徴とする立体像表示装置。
【請求項１２】
光源に対して観測者側に光線軌跡制御部および光線情報記録部をこの順に配置した立体像表示装置において、該光源が有機または無機エレクトロルミネッセンスを用いた面光源であることを特徴とする立体像表示装置。
【請求項１３】
光源に対して観測者側に光線軌跡制御部および光線情報記録部をこの順に配置した立体像表示装置において、該光源が光線軌跡制御部を兼ねる有機または無機エレクトロルミネッセンスを用いたパターン光源であることを特徴とする立体像表示装置。
【請求項１４】
光源に対して観測者側に光線軌跡制御部および光線情報記録部をこの順に配置した立体像表示装置において、該光線軌跡制御部と該光線情報記録部とが位置決め手段を用いて配置されたことを特徴とする立体像表示装置。
【請求項１５】
光源に対して観測者側に光線軌跡制御部および光線情報記録部をこの順に配置した立体像表示装置において、該光源、該光線軌跡制御部、または該光線情報記録部のいずれかがラミネート接着法を用いて積層されたことを特徴とする立体像表示装置。
【請求項１６】
電子スチルカメラの撮影画像情報の画像演算結果が反映された光線軌跡情報部および光線情報記録部を有することを特徴とする請求項１〜１５のいずれかに記載の立体像表示装置。
【発明の詳細な説明】
【０００１】
【発明の属する技術分野】
本発明は、立体像表示装置に関するもので、煩雑な眼鏡を用いた方式や擬似立体像を表示する方式ではなく、簡便な方法でかつ真の立体像に近いカラー画像を観測できる立体像表示装置に関する。
【０００２】
【従来の技術】
従来より立体視効果が得られる種々の方式の像表示方法が知られている。この内、観測者が特殊な眼鏡を用いることなく観測できる方法として、パララックスパノラマグラム方式（Ｋａｎｏｌｔ等１９１８年）、レンチキュラ方式、インテグラル方式（Ｌｉｐｍａｎ等１９０８年）が挙げられる。しかしながら、これらの方式は、観測できる位置に制限がある、再生像の結合位置と視線の結合位置にずれがある、観測像自体が現実の像の画質にほど遠い、などの問題点がある。
【０００３】
また、光の干渉と回折を利用したホログラフィは、元像の再生という観点では極めて高いポテンシャルを有している。しかしながら、ホログラフィ作製段階においてレーザー光を必要とする、記録材料としてハロゲン化銀感光材料や重クロム酸ゼラチンやフォトポリマーなどの特殊な感光材料を必要とし、また、撮影時または像記録時への制約が非常に多いという問題がある。
【０００４】
これらの不具合が解消された、実物体に近い再生像が得られる簡便な方法として、特開平１０−２３９７８５号公報、特開２００１−５６４５０公報に光線再生法（被写体の各点からの散乱光に相当する光線群を、別途設けた点光源と再生スクリーンを用い立体像を表現する方法）による立体像再生装置が開示されている。
【０００５】
【発明が解決しようとする課題】
前記の光線再生法は、視差を用いない奥行き感のある立体像再生方法として優れているが、前記開示技術では、像鑑賞時の像の鮮鋭性や、装置作製時の簡便さ等の点で商用レベルとして十分であるとは言い難かった。
【０００６】
そこで本発明の第１の目的は、特に大判広告にも適用できる簡便な立体像表示装置を提供することにあり、また、第２の目的は、観測者に生理的負担をかける視差や眼鏡を使用することなく、多くの観測者が鑑賞できる実際の立体像に近いカラー画質を再生することができる立体像表示装置を提供することである。
【０００７】
【課題を解決するための手段】
上記目的は、以下の手段により達成することができる。
【０００８】
（１）　光源に対して観測者側に光線軌跡制御部および光線情報記録部をこの順に配置した立体像表示装置において、該光線軌跡制御部または光線情報記録部がインクジェット法により形成された色素パターンを有することを特徴とする立体像表示装置。
【０００９】
（２）　光源に対して観測者側に光線軌跡制御部および光線情報記録部をこの順に配置した立体像表示装置において、該光線軌跡制御部または光線情報記録部が昇華転写法により形成された色素パターンを有することを特徴とする立体像表示装置。
【００１０】
（３）　光源に対して観測者側に光線軌跡制御部および光線情報記録部をこの順に配置した立体像表示装置において、該光線情報記録部が輝度情報および色情報とに分離して演算した画像情報に基づく色素パターンを有することを特徴とする立体像表示装置。
【００１１】
（４）　前記輝度情報および色情報とが異なる空間分解能を有することを特徴とする（３）に記載の立体像表示装置。
【００１２】
（５）　前記輝度情報および色情報とが異なる濃度分解能を有することを特徴とする（３）に記載の立体像表示装置。
【００１３】
（６）　光源に対して観測者側に光線軌跡制御部および光線情報記録部をこの順に配置した立体像表示装置において、該光線軌跡制御部および該光線情報記録部とが支持体を挟んで互いに反対側に設けられた同一部材で構成されたことを特徴とする立体像表示装置。
【００１４】
（７）　光源に対して観測者側に光線軌跡制御部および光線情報記録部をこの順に配置した立体像表示装置において、該光線軌跡制御部および該光線情報記録部との間に、粒径が０．０１μｍ以上０．２０μｍ以下のＴｉ、Ｓｉ、Ｚｎから選ばれる酸化物または水酸化物を含有する構成層を設けたことを特徴とする立体像表示装置。
【００１５】
（８）　光源に対して観測者側に光線軌跡制御部および光線情報記録部をこの順に配置した立体像表示装置において、該光線情報記録部の観測者側に反射防止層を設けたことを特徴とする立体像表示装置。
【００１６】
（９）　光源に対して観測者側に光線軌跡制御部および光線情報記録部をこの順に配置した立体像表示装置において、該光線軌跡制御部の光源側、または光線情報記録部の観測者側にマット剤を含有する構成層を設けたことを特徴とする立体像表示装置。
【００１７】
（１０）　光源に対して観測者側に光線軌跡制御部および光線情報記録部をこの順に配置した立体像表示装置において、該光線軌跡制御部または該光線情報記録部が可撓性を有する部材から形成されていることを特徴とする立体像表示装置。
【００１８】
（１１）　光源に対して観測者側に光線軌跡制御部および光線情報記録部をこの順に配置した立体像表示装置において、表示画像に応じて該光線軌跡制御部に異なる開口面積を有する複数のピンホールまたは複数のピンホールパターンを設けたことを特徴とする立体像表示装置。
【００１９】
（１２）　光源に対して観測者側に光線軌跡制御部および光線情報記録部をこの順に配置した立体像表示装置において、該光源が有機または無機エレクトロルミネッセンスを用いた面光源であることを特徴とする立体像表示装置。
【００２０】
（１３）　光源に対して観測者側に光線軌跡制御部および光線情報記録部をこの順に配置した立体像表示装置において、該光源が光線軌跡制御部を兼ねる有機または無機エレクトロルミネッセンスを用いたパターン光源であることを特徴とする立体像表示装置。
【００２１】
（１４）　光源に対して観測者側に光線軌跡制御部および光線情報記録部をこの順に配置した立体像表示装置において、該光線軌跡制御部と該光線情報記録部とが位置決め手段を用いて配置されたことを特徴とする立体像表示装置。
【００２２】
（１５）　光源に対して観測者側に光線軌跡制御部および光線情報記録部をこの順に配置した立体像表示装置において、該光源、該光線軌跡制御部または該光線情報記録部のいずれかがラミネート接着法を用いて積層されたことを特徴とする立体像表示装置。
【００２３】
（１６）　電子スチルカメラの撮影画像情報の画像演算結果が反映された光線軌跡情報部および光線情報記録部を有することを特徴とする（１）〜（１５）のいずれかに記載の立体像表示装置。
【００２４】
【発明の実施の形態】
本発明の立体像表示装置は光線再生法を用いた立体像表示装置に関するものである。以下に、本発明の立体像表示装置の実施の形態について図面を参照しながら詳細に説明する。
【００２５】
図１は物体の点像を観測者が通常に観測する例を示した図である。点像２から発生する光線群の集合体を観測者Ｖは観測して物体１を認識している。
【００２６】
図２は本発明の立体像表示装置で立体像が観測できる原理を示した図である。図２の立体像表示装置３に、元点像（図示せず）の光線軌跡（方向）と光線情報（物体色、光強度等）を分離させて表示する機能を持たせれば、観測者Ｖは立体像表示装置３の観測者側に例えば符号４の再生像を認識できる。図２の実線は、立体像表示装置３の観測者Ｖの反対側に像を再生する場合の光線を示している。このようにして物体を各点像に分割して全物体を表現すれば、元物体の立体再生像を観測することができる。
【００２７】
本発明の請求項１の立体像表示装置は、光源に対して観測者側に光線軌跡制御部および光線情報記録部をこの順に配置した立体像表示装置において、該光線軌跡制御部または光線情報記録部がインクジェット法により形成された色素パターンを有することを特徴とする。本発明のインクジェット法は、インクを微小体積にして微細ノズル等の噴射口から噴出して、画像や文字や記号を記録媒体上に形成する方法である。インク噴出方法として、ヘッドに充填したインクをピエゾ素子を用いて電気信号から機械信号に変換させて所望のインク体積を噴出させる方法、特開昭５４−５９９３６号公報に記載されている熱的な作用を受けたインクの体積変化量を利用して噴出させる方法等がある。
【００２８】
本発明に用いられるインクジェット記録装置としては、特開２００２−１７８４８７公報、同２００２−１７８４８６公報、同２００２−１７８０５公報、同２００２−１７８０６公報、同２００２−１０３５９４公報、同２００２−５２７１９公報に記載の装置を好ましく用いることができる。
【００２９】
インクジェット記録は、一般に水溶性インクを用いる場合と顔料インクを用いる場合とに大きく分けられる。顔料インクは画像の耐久性が高いが画像状に光沢が変化しやすく、一方、水溶性染料インクは画像の鮮明性が高く均一な表面光沢を得られるが、画像記録後に高湿下で長時間保存したり、記録面上に水滴が付着した場合染料が滲みやすい、という特性がある。本発明においてはどちらのタイプを用いてもよいが、好ましくは、平均粒径が２０ｎｍ以上８００ｎｍ以下の顔料を含む顔料タイプのインクを使用することである。
【００３０】
本発明の光線軌跡制御部または光線情報記録部はインクジェット法による色素パターンを形成するインク吸収層を設けることが好ましい。インク吸収層に用いられる材料としては、ポリビニルアルコール、カチオン性ポリマー、ケイ素含有化合物、セルロース誘導体、オリゴ糖誘導体、アルミニウム含有化合物、ジルコニウム含有化合物、「インクジェットプリンター技術と材料」（株式会社シーエムシー発行　１９９８年７月）や特開平９−１９３５３２号公報に記載の各種化合物を挙げることができる。また、特開２００２−１９２８３０公報に記載の空隙型インク吸収層も好ましく用いることができる。空隙型インク吸収層に用いる無機粒子としては低屈折率微粒子が好ましい。低屈折率微粒子としてはシリカが好ましく、特に気相法で合成されたシリカまたはコロイダルシリカがより好ましい。
【００３１】
本発明の請求項２の立体像表示装置は、光源に対して観測者側に光線軌跡制御部および光線情報記録部をこの順に配置した立体像表示装置において、該光線軌跡制御部または光線情報記録部が昇華転写法により形成された色素パターンを有することを特徴とする。昇華転写法とは、色素供与体材料中に含まれる色素がサーマルヘッドの熱によって色素受容材料に移行する方式の画像形成方式である。この方式は画素毎に転写させる色素量をコントロールできるので階調豊かな色素パターンを形成でき、記録情報量の観点においてはインクジェット法よりもより有利な方式である。
【００３２】
本発明に用いられる昇華記録装置としては特開２０００−２５３１５公報、同２０００−６４４７公報等に記載の装置を、また光線軌跡制御部または光線情報記録部に設ける色素受容部としては特開２００１−１０２３１公報、同２００１−１０２６３公報、特開平１１−１７０７１１号公報、同１１−２０８１２８号公報等に記載の色素受容部を、また昇華性色素としては特開２０００−１４１９２１公報、同２０００−７９７６９公報等に記載の色素を挙げることができる。しかしこれらに限定されるものではない。
【００３３】
請求項１、２とも色素パターンの最大濃度は、透過濃度で１．５以上４．０以下であることが画像コントラストの観点から好ましい。
【００３４】
請求項３の立体像表示装置は、光源に対して観測者側に光線軌跡制御部および光線情報記録部をこの順に配置した立体像表示装置において、該光線情報記録部が輝度情報および色情報とに分離して演算した画像情報に基づく色素パターンを有することを特徴とする。また、請求項４は請求項３の光線情報記録部の光輝度情報と色情報とが異なる空間分解能を有することを特徴とする。また、請求項５は請求項３の光線情報記録部の輝度情報と色情報とが異なる濃度分解能を有することを特徴とする。テレビジョン、ビデオあるいはデジタルカメラなどの分野では、画像情報は輝度信号と色信号に分けて取り扱われることが一般的に知られている。
【００３５】
図１３は、本発明の立体像表示装置における光線情報記録部の色素パターンを作製する一例を示すフロー図である。電子スチルカメラにより作製された撮影画像情報を、輝度情報と色情報に分離する。次いで、光線情報記録部の輝度情報と色情報とをそれぞれ演算し、演算した輝度情報と色情報を合体して光線情報記録部の色素パターンを演算し、光線情報記録部の色素パターンを作製するという流れである。
【００３６】
画質の支配因子の１つである鮮鋭性は、輝度情報の解像度により決定され、特に色情報の解像性能への影響は少ない。本発明の立体像表示装置は演算可能な光線の数で立体像の解像度が決まり、光線の数には制限がある。したがって、図１３に示すように撮影画像情報である光線を輝度情報と色情報に各々分けて演算を行うことにより、解像度に対しては、より効率的で高速処理可能な演算を行うことができる。また、人間の視覚感度の高い輝度情報に対しては、色情報よりも高空間分解能または高濃度分解能を有する演算を行うことが、本発明において特に好ましい態様であるといえる。
【００３７】
本発明の請求項６の立体像表示装置は、光源に対して観測者側に光線軌跡制御部および光線情報記録部をこの順に配置した立体像表示装置において、該光線軌跡制御部および該光線情報記録部とが支持体を挟んで互いに反対側に設けられた同一部材で構成されたことを特徴とする。
【００３８】
図４は本発明の立体像表示装置の一実施形態を示す概略構成図である。図４に示す立体像表示装置３は、支持体６を挟んで互いに反対側に光線軌跡制御部５、光線情報記録部７が設けられた構成となっている。光源Ｌ１は光線情報記録部７、支持体６、光線軌跡制御部５とは別部材となっている例である。この様な光線軌跡制御部５、光線情報記録部７の各部材の例として、透明支持体の両面にインク吸収層が設けられたインクジェット記録材料や、透明支持体の両面にインク受容層が設けられた昇華転写法に用いられる記録材料等が挙げられる。
【００３９】
図３は、本発明の立体像表示装置の別の一実施形態を示す概略構成図であるが、この図に示すように、光線情報記録部７、支持体６、光線軌跡制御部５、光源Ｌ２が同一部材であるような構成も好ましく用いることができる。
【００４０】
本発明の立体像表示装置に用いられる支持体としては、ポリエステルフィルム、ポリ塩化ビニルフィルム、ポリプロピレンフィルム、セルローストリアセテートフィルム、ポリスチレンフィルム、あるいはこれらを積層した、非吸水性のプラスチックフィルムを好ましく用いることができる。また、支持体の光学特性としては、４００ｎｍから７００ｎｍの各波長における光透過率が６０％以上１００％以下の光透過性の高い支持体の使用が好ましい。
【００４１】
本発明の請求項７の立体像表示装置は、光源に対して観測者側に光線軌跡制御部および光線情報記録部をこの順に配置した立体像表示装置において、該光線軌跡制御部および該光線情報記録部との間に、粒径が０．０１μｍ以上０．２０μｍ以下のＴｉ、Ｓｉ、Ｚｎから選ばれる酸化物または水酸化物を含有する構成層を設けたことを特徴とする。この構成層を設けることにより、光線軌跡制御部から発せられる光線の光拡散度合いを制御することができるので、立体像の観測可能な範囲を拡大することができる。また、光線軌跡制御部または光線情報記録部と、他の部位との界面で生じる全反射による画質劣化も低減できるという利点がある。この構成層は、支持体中に設けるか、または支持体と光線軌跡制御部の界面に設けるか、または支持体と光線情報記録部の界面に設けることが好ましい。含有する微粒子としては、粒径が０．０１μｍ以上０．２０μｍ以下のＴｉ、Ｓｉ、Ｚｎから選ばれる酸化物または水酸化物であればいかなるものでもよいが、特に好ましいものとしては、粒径が０．０３μｍ以上０．１０μｍ以下の酸化チタンまたは酸化亜鉛である。
【００４２】
本発明の請求項８の立体像表示装置は、光源に対して観測者側に光線軌跡制御部および光線情報記録部をこの順に配置した立体像表示装置において、該光線情報記録部の観測者側に反射防止層を設けたことを特徴とする。反射防止層としては、ＳｉＯ２、ＴｉＯ２、ＺｒＯ２、Ｙ２Ｏ３等の屈折率の異なる金属酸化物被膜や有機高分子被膜を３〜４層積層して構成することができる。また、単層で屈折率が１．２５以下の低屈折率被膜としてもよい。好ましい反射防止層としては、複数層を積層した反射防止層であり、高屈折率層と低屈折率層とを交互に積層させた構造とする。特に好ましくは、特開２００１−９１７０５公報、段落番号００６６〜００７２に記載の金属アルコキシドおよびその部分加水分解物から選ばれる化合物から反射防止層を形成することである。
【００４３】
本発明の請求項９の立体像表示装置は、光源に対して観測者側に光線軌跡制御部および光線情報記録部をこの順に配置した立体像表示装置において、該光線軌跡制御部の光源側、または光線情報記録部の観測者側にマット剤を含有する構成層を設けたことを特徴とする。マット剤を含有する構成層を設けることにより、立体像表示装置の作製時に滑り性が増し、部材搬送性の向上や、擦り傷による画質劣化を防止できる。
【００４４】
マット剤としては、例えば、ポリメチルメタクリレート、ポリ（メチルメタクリレート／メタクリル酸＝９／１または５／５（モル比））、ポリスチレンなどが好ましい。マット剤の粒径は０．８〜１０μｍが好ましく、また、その粒径分布も狭い方が好ましく、平均粒径の０．９〜１．１倍の間に全粒子数の９０％以上を含有させることが好ましい。また、マット剤の特性を高めるために０．８μｍ以下の微粒子を同時に添加することも好ましく、例えば、ポリメチルメタクリレート　（０．２μｍ）、ポリ（メチルメタクリレート／メタクリル酸＝９／１（モル比）（０．３μｍ））、ポリスチレン（０．２５μｍ）、コロイダルシリカ（０．０３μｍ）が挙げられる。具体的には、特開昭６１−８８２５６号公報、２９頁に記載されている。その他のマット剤としては、特開昭６３−２７４９４４号公報、同６３−２７４９５２号公報記載のベンゾグアナミン樹脂ビーズ、ポリカーボネート樹脂ビーズ、ＡＳ樹脂ビーズ等を挙げることができる。また、リサーチ・ディスクロージャー１７６４３号、同３０８１１９号記載の化合物も使用できる。
【００４５】
本発明の請求項１０の立体像表示装置は、光源に対して観測者側に光線軌跡制御部および光線情報記録部をこの順に配置した立体像表示装置において、該光線軌跡制御部または該光線情報記録部が可撓性を有する部材から形成されていることを特徴とする。可撓性を付与することにより、観測者に対して光線軌跡制御部または光線情報記録部を凸形状にすることができ、立体像の観測できる範囲を広げることが可能となる。また、搬送適性向上による立体像表示装置を作製する装置の小型化、高速化が可能となるという利点がある。
【００４６】
本発明の請求項１１の立体像表示装置は、光源に対して観測者側に光線軌跡制御部および光線情報記録部をこの順に配置した立体像表示装置において、表示画像に応じて該光線軌跡制御部に異なる開口面積を有する複数のピンホールまたは複数のピンホールパターンを設けたことを特徴とする。
【００４７】
図５は従来の立体像表示装置の一例を示す概略構成図である。図５の（ａ）は立体像表示装置３’を側面から見た図であり、図５の（ｂ）は正面からみた図である。支持体６’の一方に光線情報記録部７’を、他方に図５の（ｂ）に示すように光線軌跡制御部５’に同じ開口面積を有する円形または方形の複数のピンホールＰ’を設けたものである。
【００４８】
しかしながら、本発明のように立体表示を行いたい画像の各部分に併せて、光線軌跡制御部または光線情報記録部を設計すれば、より豊かな画像表現が可能になる。例えば、図６はこのような本発明の立体像表示装置の一実施形態を示す概略構成図である。図６の（ａ）は立体像表示装置３を側面から見た図であり、図６の（ｂ）は正面からみた図である。図６の（ｂ）に示すように、立体性をあまり必要としない風景等の背景については、開口面積を大きく設けてパターンも荒くして観測可能範囲の広い明るい画像表示を設計し、背景前面の物体についてはより小さな開口面積で密なパターンを用いて立体性を強調した画像表示を設計することが可能である。
【００４９】
さらに、本発明の請求項１のように光線軌跡制御部または光線情報記録部がインクジェット法により形成された色素パターンを有するものとする。または、本発明の請求項２のように光線軌跡制御部または光線情報記録部が昇華転写法により形成された色素パターンを有するものとすれば、低コストで各画像に対してオンデマンドな立体像表示装置の作製が可能となるので好ましい。
【００５０】
本発明の請求項１２の立体像表示装置は、光源に対して観測者側に光線軌跡制御部および光線情報記録部をこの順に配置した立体像表示装置において、該光源が有機または無機エレクトロルミネッセンスを用いた面光源であることを特徴とする。
【００５１】
図８は、本発明の立体像表示装置のまた別の一実施形態を示す概略構成図である。有機または無機エレクトロルミネッセンスを用いた面光源Ｌ３、複数のピンホールＰを有する光線軌跡制御部５、支持体６、光線情報記録部７をこの順に積層した立体像表示装置３の例である。
【００５２】
光源として面光源を利用することにより、蛍光灯やＬＥＤや白熱球等の光源を用いる場合に比較して、立体像表示装置の薄膜小型化、低消費電力化が可能となるので好ましい。このような面光源としては白色光源が好ましいが、特定の色調を持った光源でもよい。有機または無機エレクトロルミネッセンス発光素子が好ましく、これらの具体例として、特開平５−２１４３３４号公報、同７−１５７７５３号公報、同７−２９２３５３号公報、特開２００２−１７５８８３公報、同２００２−１１０３５７公報、同２００２−１２４３８３公報、同２００２−１５１２６８公報、同２００２−３８３５公報等に記載されている素子を挙げることができる。
【００５３】
本発明の請求項１３の立体像表示装置は、光源に対して観測者側に光線軌跡制御部および光線情報記録部をこの順に配置した立体像表示装置において、該光源が光線軌跡制御部を兼ねる有機または無機エレクトロルミネッセンスを用いたパターン光源であることを特徴とする。
【００５４】
図７は、本発明の立体像表示装置のさらに別の一実施形態を示す概略構成図である。光源と光線軌跡制御部を兼ねた有機または無機エレクトロルミネッセンスの発光部を用いたパターン光源Ｌ４、支持体６、光線情報記録部７を積層させた立体像表示装置３の例である。前記発光部は、発光部のみに有機または無機エレクトロルミネッセンス素子を配置してもよいし、発光部を全面に作製して電極パターンを格子状等に形成させることによりパターン光源Ｌ４を作製してもよい。光源と光線軌跡制御部を兼用することにより、さらに薄く軽量な立体像表示装置の作製が可能となるので非常に好ましい態様といえる。
【００５５】
本発明の請求項１４の立体像表示装置は、光源に対して観測者側に光線軌跡制御部および光線情報記録部をこの順に配置した立体像表示装置において、該光線軌跡制御部と該光線情報記録部とが位置決め手段を用いて配置されたことを特徴とする。位置決め手段として光線軌跡制御部および光線情報記録部に物理的に重ね合わせマークを予め作製しておいてから重ね合わせる方法、光線軌跡制御部と光線情報記録部を両面プリンタを用いて同時に作製する方法（例えば図９に示す方法）、光線軌跡制御部および光線情報記録部にそれぞれ凹凸部を予め作製しておいてから重ね合わせる方法等がある。
【００５６】
図９は、本発明の立体像表示装置における光線軌跡制御部と光線情報記録部の色素パターンを同時に作製する一例を示すフロー図である。電子スチルカメラにより作製された撮影画像情報に基づき、光線軌跡制御部と光線情報記録部の色素パターンを演算し、演算された色素パターンから光線軌跡制御部と光線情報記録部の色素パターンを同時に作製する、という流れである。
【００５７】
本発明の請求項１５の立体像表示装置は、光源に対して観測者側に光線軌跡制御部および光線情報記録部をこの順に配置した立体像表示装置において、該光源、該光線軌跡制御部、または該光線情報記録部のいずれかがラミネート接着法を用いて積層されたことを特徴とする。
【００５８】
図１０は、本発明の立体像表示装置における光線軌跡制御部と光線情報記録部の色素パターンを別々に作製する一例を示すフロー図である。電子スチルカメラにより作製された撮影画像情報に基づき、光線軌跡制御部と光線情報記録部の色素パターンを演算する。演算された光線軌跡制御部の色素パターンに基づき、光線軌跡制御部の色素パターンを作製する。次いで、位置決め手段により位置決めをして、演算された光線情報記録部の色素パターンに基づき、光線情報記録部の色素パターンを作製する、という流れである。
【００５９】
図１１は、図８に示す本発明の立体像表示装置を作製する一例を示すフロー図である。電子スチルカメラにより作製された撮影画像情報に基づき、光線軌跡制御部と光線情報記録部の色素パターンを演算する。演算された光線軌跡制御部の色素パターンに基づき、光線軌跡制御部の色素パターンを作製する。また、演算された光線情報記録部の色素パターンに基づき、光線情報記録部の色素パターンを作製する。次いで、位置決め手段により位置決めをして、光線軌跡制御部を支持体６にラミネート接着し積層する。そして、有機エレクトロルミネッセンス面光源を複数のピンホールＰを有する光線軌跡制御部５にラミネート接着し積層する、という流れである。
【００６０】
図１２は、図７に示す本発明の立体像表示装置を作製する一例を示すフロー図である。電子スチルカメラにより作製された撮影画像情報に基づき、光線軌跡制御部と光線情報記録部の色素パターンを演算する。演算された光線情報記録部の色素パターンに基づき、光線情報記録部の色素パターンを作製する。次いで、位置決め手段により位置決めをして、光源と光線軌跡制御部を兼ねた有機エレクトロルミネッセンスの発光部を用いたパターン光源Ｌ４を支持体６にラミネート接着し積層する、という流れである。
【００６１】
図１１および図１２に示すように、ラミネート接着法を用いて立体像表示装置を作製することにより均質な接着面が得られ、再生像の画質劣化が防げ、かつ生産効率が向上する。
【００６２】
本発明の請求項１６の立体像表示装置は、電子スチルカメラの撮影画像情報の画像演算結果が反映された光線軌跡情報部および光線情報記録部を有することを特徴とする。電子スチルカメラで複数画像を撮影して、撮影物体の立体的座標と物体色および物体輝度を算出し、光線軌跡制御部および光線情報記録部面での再生像を演算することにより、従来の大がかりで高額な撮影装置を用いなくても、簡便に立体像を観測することができる。
【００６３】
本発明の立体像表示装置は、特開平５−７３７３号公報、同１０−３３３２４３号公報、特開２０００−３０５２０７公報、同２００１−１６９１６８公報等に記載の電子スチルカメラおよび画像演算方法を適用することができる。また、図９に示す方法で立体像表示装置を作製すれば、生産面でも工業的に十分に成り立つ立体像表示装置を提供することができる。
【００６４】
【発明の効果】
大判広告にも適用できる簡便な立体像表示装置を提供することができ、また、観測者に生理的負担をかける視差や眼鏡を使用することなく、多くの観測者が鑑賞できる実際の立体像に近いカラー画質を再生することができる立体像表示装置を提供することができた。
【図面の簡単な説明】
【図１】物体の点像を観測者が通常に観測する例を示した図である。
【図２】本発明の立体像表示装置で立体像が観測できる原理を示した図である。
【図３】本発明の立体像表示装置の別の一実施形態を示す概略構成図である。
【図４】本発明の立体像表示装置の一実施形態を示す概略構成図である。
【図５】従来の立体像表示装置の一例を示す概略構成図である。
【図６】本発明の立体像表示装置の一実施形態を示す概略構成図である。
【図７】本発明の立体像表示装置のさらに別の一実施形態を示す概略構成図である。
【図８】本発明の立体像表示装置のまた別の一実施形態を示す概略構成図である。
【図９】本発明の立体像表示装置における光線軌跡制御部と光線情報記録部の色素パターンを同時に作製する一例を示すフロー図である。
【図１０】本発明の立体像表示装置における光線軌跡制御部と光線情報記録部の色素パターンを別々に作製する一例を示すフロー図である。
【図１１】図８に示す本発明の立体像表示装置を作製する一例を示すフロー図である。
【図１２】図７に示す本発明の立体像表示装置を作製する一例を示すフロー図である。
【図１３】本発明の立体像表示装置における光線情報記録部の色素パターンを作製する一例を示すフロー図である。
【符号の説明】
３　立体像表示装置
５　光線軌跡制御部
６　支持体
７　光線情報記録部
Ｌ１、Ｌ２、Ｌ３、Ｌ４　光源
Ｐ　ピンホール
【図１】
2004085990.tif 000003
【図２】
2004085990.tif 000004
【図３】
2004085990.tif 000005
【図４】
2004085990.tif 000006
【図５】
2004085990.tif 000007
【図６】
2004085990.tif 000008
【図７】
2004085990.tif 000009
【図８】
2004085990.tif 000010
【図９】
2004085990.tif 000011
【図１０】
2004085990.tif 000012
【図１１】
2004085990.tif 000013
【図１２】
2004085990.tif 000014
【図１３】
2004085990.tif 000015